(57)【要約】【課題】４色＋α色を持ち、複数種類の画像入力機能を持つＭＦＰにおいて、入力される画像の特徴に応じて、４色印刷／４色＋α色印刷とを自動的に切り替えることで、各々に最適な画質、パフォーマンスで印刷物を提供する。【解決手段】４色＋α色を持ち、複数種類の画像入力機能を持つ画像入出力装置において、上記複数種類の画像入力機能ごと入力される画像データを出力する方法に応じて、４色印刷、４色＋α色印刷を自動もしくは手動で切り替える設定を行う設定手段と、上記設定手段で設定された内容に基づいて、画像データを４色印刷、４色＋α色印刷のいずれにするか判定する判定手段と、上記判定手段で判定された結果に基づいて、画像データを４色データもしくは４色＋α色データとして生成する生成手段と、上記生成手段によって生成された４色データもしくは４色＋α色データを上記画像データを出力する方法に応じて処理された形で印刷する画像出力手段を持つことを特徴とする画像入出力装置。【選択図】        図１
2007025112.tif 000002
【特許請求の範囲】
【請求項１】
４色＋α色を持ち、複数種類の画像入力機能を持つ画像入出力装置において、
上記複数種類の画像入力機能ごと入力される画像データを出力する方法に応じて、４色印刷、４色＋α色印刷を自動もしくは手動で切り替える設定を行う設定手段と、
上記設定手段で設定された内容に基づいて、画像データを４色印刷、４色＋α色印刷のいずれにするか判定する判定手段と、
上記判定手段で判定された結果に基づいて、画像データを４色データもしくは４色＋α色データとして生成する生成手段と、
上記生成手段によって生成された４色データもしくは４色＋α色データを上記画像データを出力する方法に応じて処理された形で印刷する画像出力手段を持つことを特徴とする画像入出力装置。
【請求項２】
請求項１記載の画像入出力装置において、上記複数種類の画像入力機能はコピー、記憶手段に備わる画像を選択、ＦＡＸ受信、各種ラスターデータの受信、ＰＤＬであることを特徴とする画像入出力装置。
【請求項３】
請求項１記載の画像入出力装置において、上記設定手段は、画像入出力装置に備わる操作部であることを特徴とする画像入出力装置。
【請求項４】
４色＋α色を持ち、複数種類の画像入力機能を持つ画像入出力装置において、
上記複数種類の画像入力機能ごと入力される画像データを出力する方法に応じて、４色印刷、４色＋α色印刷を自動もしくは手動で切り替える設定を行う設定手段と、
上記自動での設定に関する条件を設定する自動設定手段と、
上記設定手段で設定された内容に基づいて、画像データを４色印刷、４色＋α色印刷のいずれにするか判定する判定手段と、
上記判定手段で判定された結果に基づいて、画像データを４色データもしくは４色＋α色データとして生成する生成手段と、
上記生成手段によって生成された４色データもしくは４色＋α色データを上記画像データを出力する方法に応じて処理された形で印刷する画像出力手段を持つことを特徴とする画像入出力装置。
【請求項５】
請求項４記載の画像入出力装置において、自動設定手段は、用紙サイズに関する条件に応じて４色データもしくは４色＋α色データを切り替える設定を決められることを特徴とする画像入出力装置。
【請求項６】
請求項４記載の画像入出力装置において、自動設定手段は、レイアウト機能に関する条件に応じて４色データもしくは４色＋α色データを切り替える設定を決められることを特徴とする画像入出力装置。
【請求項７】
請求項６記載の画像入出力装置において、レイアウト機能とは、合成機能、製本機能、縮小レイアウト機能、拡大縮小機能であることを特徴とする画像入出力装置。
【請求項８】
請求項１または４記載の画像入出力装置において、上記設定手段、上記自動設定手段は、上記画像入出力装置に備わる装置に限らず、公衆回線、インターネット、ＵＳＢなどの有線接続、赤外線、無線ＬＡＮ、Ｂｌｕｅｔｏｏｔｈなどの無線で接続されるクライアントＰＣ、携帯端末などで設定を行う設定手段、自動設定手段で設定できることを特徴とする画像入出力装置。
【請求項９】
請求項１または４記載の画像入出力装置において、上記４色印刷の色材はシアン、マゼンタ、イエロ、ブラックの色相を持つことを特徴とする画像入出力装置。
【請求項１０】
請求項１または４記載の画像入出力装置において、上記４色＋α色印刷の色材はシアン、マゼンタ、イエロ、ブラックの色相を持つ４色の他、＋α色の色材は上記４色の色材とほぼ同等の色相を持ち濃度が薄いライトトナーの色材、シアン、マゼンタ、イエロ、ブラックの色材を混色させて実現できるレッド、グリーン、ブルーなどの２次色、ダークレッド、ダークグリーン、ダークブルーの３次色の色相を持つ色材、ホワイトの色材、無色透明の色材などであることを特徴とする画像入出力装置。
【発明の詳細な説明】
【技術分野】
【０００１】
本発明は画像形成装置により用紙上に画像を形成するための画像データをディジタル的に生成、制御する画像処理装置および画像処理を実行する方法に係わる画像入出力装置に関するものである。
【背景技術】
【０００２】
デジタルプリンティング技術はオンデマンド印刷市場や少部数の文書印刷市場において、近年確実にその利用価値を高めつつある。特に電子写真技術を用いたフルカラープリンティングは生産性や印刷コスト、メンテナンスの容易性などの面で他のプリンティング技術よりも優位な位置にあり、急速にその市場を広めつつある。
【０００３】
その中で、特に従来のＣ、Ｍ、Ｙ、Ｋ、４色のトナーを用いた電子写真印刷によるフルカラー印刷だけではなく、さらに特殊なトナーを用いた多色の印刷方式も注目を集めており、オンデマンド性、即時性の高い特殊印刷市場も視野に入ってきている。
【特許文献１】特開２００４−２５４０３３号公報
【発明の開示】
【発明が解決しようとする課題】
【０００４】
前記従来例で説明したように、ＣＭＹＫのプロセスカラー４色の他、例えば赤・緑・青・透明・ライト色などの特色のうち、少なくとも一つの特色を持つことによって高画質化を達成させるＭＦＰにおいては、４色＋α色の印刷によって高画質の印刷物を得ることが出来る一方で＋α色を現像する分、パフォーマンスが低下してしまう問題がある。特に１ドラムによる電子写真方式のカラー印刷機においては、例えばＣＭＹＫ４色の他、＋４色の特色を使ったとすると、プロセススピードが同じであるなら印刷におよそ２倍の時間がかかってしまい、高画質を得る一方で装置の生産性を大きく低下させてしまう。
【０００５】
本発明の画像入出力装置は、以上の点に着目して成されたもので、４色＋α色を持ち、複数種類の画像入力機能を持つＭＦＰにおいて、入力される画像の特徴に応じて、４色印刷／４色＋α色印刷とを自動的に切り替えることで、各々に最適な画質、パフォーマンスで印刷物を提供することを目的とする。
【課題を解決するための手段】
【０００６】
そこで本発明では、以下の構成を持つことで課題を解決する。
【０００７】
４色＋α色を持ち、複数種類の画像入力機能を持つ画像入出力装置において、
上記複数種類の画像入力機能ごとに、４色印刷、４色＋α色印刷を自動もしくは手動で切り替える設定を行う設定手段と、
上記設定手段で設定された内容に基づいて、画像データを４色印刷、４色＋α色印刷のいずれにするか判定する判定手段と、
上記判定手段で判定された結果に基づいて、画像データを４色データもしくは４色＋α色データとして生成する生成手段と、
上記生成手段によって生成された４色データもしくは４色＋α色データを印刷する画像出力手段を持つことを特徴とする画像入出力装置。
【０００８】
なお、さらに説明すれば、本発明の第一の発明について下記のように示す。
【０００９】
（１）４色＋α色を持ち、複数種類の画像入力機能を持つ画像入出力装置において、
上記複数種類の画像入力機能ごと入力される画像データを出力する方法に応じて、４色印刷、４色＋α色印刷を自動もしくは手動で切り替える設定を行う設定手段と、
上記設定手段で設定された内容に基づいて、画像データを４色印刷、４色＋α色印刷のいずれにするか判定する判定手段と、
上記判定手段で判定された結果に基づいて、画像データを４色データもしくは４色＋α色データとして生成する生成手段と、
上記生成手段によって生成された４色データもしくは４色＋α色データを上記画像データを出力する方法に応じて処理された形で印刷する画像出力手段を持つことを特徴とする画像入出力装置。
【発明の効果】
【００１０】
４色＋α色を持ち、複数種類の画像入力機能を持つＭＦＰにおいて、機能の特徴、入力される画像の特徴に応じて、４色印刷／４色＋α色印刷とを自動的に切り替えることで、各々に最適な画質、パフォーマンスで印刷物を提供することが出来る。
【発明を実施するための最良の形態】
【００１１】
以下本発明を実施するための最良の形態を、実施例により詳しく説明する。
【実施例１】
【００１２】
［ＭＦＰ１００のシステム構成］
図１は本発明のＭＦＰ１００のシステム構成を示すブロック図である。
【００１３】
同図において、１１０は原稿画像をスキャンして入力画像データを得るスキャナなどの画像入力装置であり、１２０は入力画像データを処理して得られる出力画像データをプリントするプリンタなどの画像出力装置である。
【００１４】
１０１はユーザ入力装置としてのローカル・ユーザー・インタフェース（以下ＵＩ）であり、これによりＭＦＰ１００に対する動作指示を行う。ＵＩ１０１には、指示の内容や、ＭＦＰ１００の動作状況、各種画像のプレビューなどを行うことが可能な液晶などの表示装置も含む。
【００１５】
ＵＩ１０１からの入力はインターフェースマネージャ１０２を介してマイクロプロセッサ１０３へ送られる。なお、インターフェースマネージャ１０２には、ＵＩ１０１の他、キーボード１０４やマウス１０５などの外部操作手段を接続することも可能である。マイクロプロセッサ１０３は、ここの説明では一つの構成を示しているが、ＭＦＰ１００のコスト、処理能力、パフォーマンスの能力に応じて、二つでも三つでも良い。この少なくとも１つのマイクロプロセッサ１０３と、マイクロプロセッサ１０３によりアクセス可能なメモリである、フラッシュ・メモリ１０６およびＲＡＭ１０７が接続されており、これらのメモリを使用しつつ、画像データの処理をマイクロプロセッサ１０３にて行う。
【００１６】
マイクロプロセッサ１０３により生成されるデータは、ＵＩ１０１の表示装置でプレビューすることも可能であるが、ＭＦＰ１００に外部表示装置としてディスプレ１３０などを接続し、それに出力し表示させることも可能である。
【００１７】
ディスク・インターフェース装置１４０を介してマイクロプロセッサ１０３により読出し／書込みアクセス可能である磁気ディスク・ドライブ（ＨＤＤ）１４１に処理データなどを記憶保存させることも可能である。フロッピー(登録商標)・ディスク・ドライブ（ＦＤＤ）１４２、ＣＤ−ＲＯＭドライブ１４３などの各種メディアとの読み出し／書き込みアクセスも可能である。
【００１８】
更に、各種ディスク・ドライブからマイクロプロセッサ１０３へのデータ・アクセスを高速化するためキャッシュ１４４、ＰＣＭＣＩＡ１４５のスロットにより各種ＰＣカードなどの接続も可能である。
【００１９】
またインターネット網に接続することが可能になるネットワークインターフェース１５０により、Ｅｔｈｅｒｎｅｔ(登録商標)ケーブルなどを使用した有線ＬＡＮ１５１を使用して図示しないクライアントＰＣからＰＤＬデータを受信してマイクロプロセッサ１０３によりレンダリングを行い、ＲＩＰ後のラスター画像データを画像出力装置１２０よりプリントすることも可能である。その他、無線ＬＡＮ１５２、赤外線通信１５３、公衆回線網に接続可能なモデム１５４、短距離通信（Ｂｌｕｅｔｏｏｔｈ）１５５などを持ち、これらの通信手段を使い、画像入力装置１１０で入力された画像データを外部のクライアントＰＣへ送信したり、ＦＡＸ機へＦＡＸ送信などを行うことが可能である。もちろんクライントＰＣから直接ＪＰＥＧなどの画像データを受信したり、ＦＡＸ機からの受信も可能である。
【００２０】
［マイクロプロセッサ１０３の画像処理フロー］
図２は本発明のマイクロプロセッサ１０３内において施される画像処理フローを説明するブロック図である。
【００２１】
同図において、例えばイメージスキャナなどの入力装置である画像入力装置１１０で入力された画像データは、マイクロプロッセッサ１０３内にて入力画像処理部２０１によって入力画像に対する所定の画像処理が施される。例えば、入力系の色味を補正する色処理や、入力系のγ特性を補正するγ補正などである。その後、ＲＡＭ１０７に一旦ページ単位で蓄積して画素単位で記憶される。この際メモリではなく、ＨＤＤ１４１などの記憶装置に記憶する構成でもかまわない。
【００２２】
その後、コピー機能の場合には出力画像処理部２０２において、イメージスキャナの色空間であるＲ、Ｇ、Ｂの画像信号を、詳細は後述する色数判定処理部２０８の判定結果に基づき、判定結果が４色印刷の場合には印字出力のための色空間であるＣ、Ｍ、Ｙ、Ｋに画素単位で変換する。判定結果がＣＭＹＫに加えてライトＣ、ライトＭなどの特色を含む４色＋α色印刷の場合には印字出力のための色空間であるＣ、Ｍ、Ｙ、Ｋに加えた、この場合ライトＣ、ライトＭに画素単位で変換する。生成されたＣ、Ｍ、Ｙ、ＫもしくはＣ、Ｍ、Ｙ、Ｋ、ＬＣ、ＬＭは画像出力装置１２０の階調特性に最適な階調となるようγ補正処理が施された後にいわゆるディザ処理などの画像形成のための疑似中間調処理が施され、画像出力装置１２０より印刷される。
【００２３】
画像送信機能の場合にはＲＡＭ１０７に保持される画像データに対して、画像送信処理部２０４において、外部のクライアントＰＣに画像データを送るために、イメージスキャナの色空間であるＲ、Ｇ、Ｂの画像信号を、例えばＰＣで標準的に使用されている色空間であるｓＲＧＢ色空間に変換する。変換された画像データはネットワークＩ／Ｆ１５０を介してクライアントＰＣへ画像送信される。
【００２４】
ＦＡＸ送信機能の場合にはＲＡＭ１０７に保持される画像データに対して、ＦＡＸ送信処理部２０６において、外部のＦＡＸ機にＦＡＸデータを送るために、イメージスキャナの解像度、例えば６００ｄｐｉで読み取られた画像データを、例えば相手先の受信解像度である２００ｄｐｉなどに解像度変換を施し、また二値化処理を施す。処理された画像データはネットワークＩ／Ｆ１５０を介してＦＡＸ機へＦＡＸ送信される。
【００２５】
ＰＤＬプリント機能の場合にはネットワークＩ／Ｆ１５０を介して、図示しないクライアントＰＣから例えばＰＳ言語で記述されたＰＳコードデータが送信されたり、ＰＣＬ言語で記述されたＰＣＬコードデータが送信され、マイクロプロッセッサ１０３内のレンダリング部２０３によってラスター画像データにＲＩＰ処理される。その後、ＲＡＭ１０７に一旦ページ単位で蓄積して画素単位で記憶される。この際メモリではなく、ＨＤＤ１４１などの記憶装置に記憶する構成でもかまわない。
【００２６】
その後、出力画像処理部２０２において、ラスター画像データの色空間がＲ、Ｇ、Ｂの画像信号の場合にはＲＧＢ画像データを、詳細は後述する色数判定処理部２０８の判定結果に基づき、判定結果が４色印刷の場合には印字出力のための色空間であるＣ、Ｍ、Ｙ、Ｋに画素単位で変換する。判定結果がＣＭＹＫに加えてライトＣ、ライトＭなどの特色を含む４色＋α色印刷の場合には印字出力のための色空間であるＣ、Ｍ、Ｙ、Ｋに加えた、この場合ライトＣ、ライトＭに画素単位で変換する。ラスター画像データの色空間がＣ、Ｍ、Ｙ、Ｋの画像信号の場合にはＣＭＹＫ画像データを、詳細は後述する色数判定処理部２０８の判定結果に基づき、判定結果が４色印刷の場合には印字出力のための色空間であるＣ、Ｍ、Ｙ、Ｋになっているのでそのままにする。判定結果がＣＭＹＫに加えてライトＣ、ライトＭなどの特色を含む４色＋α色印刷の場合には印字出力のための色空間であるＣ、Ｍ、Ｙ、Ｋに加えた、この場合ライトＣ、ライトＭに画素単位で変換する。生成されたＣ、Ｍ、Ｙ、ＫもしくはＣ、Ｍ、Ｙ、Ｋ、ＬＣ、ＬＭは画像出力装置１２０の階調特性に最適な階調となるようγ補正処理が施された後にいわゆるディザ処理などの画像形成のための疑似中間調処理が施され、画像出力装置１２０より印刷される。
【００２７】
画像受信機能の場合にはネットワークＩ／Ｆ１５０を介して、図示しないクライアントＰＣから例えばＪＰＥＧやＴＩＦＦなどのファイルフォーマットの画像データが送信され、マクロプロセッサ１０３内の画像受信処理部２０５によって、各種ファイルフォーマットに適したデコード処理を施すことでラスター画像データに変換する。その後、ＲＡＭ１０７に一旦ページ単位で蓄積して画素単位で記憶される。この際メモリではなく、ＨＤＤ１４１などの記憶装置に記憶する構成でもかまわない。
【００２８】
その後、出力画像処理部２０２において、ＰＤＬプリント機能と同様に画像処理が施され、画像出力装置１２０より印刷される。
【００２９】
ＦＡＸ受信機能の場合にはネットワークＩ／Ｆ１５０を介して、図示しないＦＡＸ機からＦＡＸデータが送信され、マクロプロセッサ１０３内のＦＡＸ受信処理部２０７によって、画像出力装置１２０に適した解像度のラスター画像データに変換する。その後、ＲＡＭ１０７に一旦ページ単位で蓄積して画素単位で記憶される。この際メモリではなく、ＨＤＤ１４１などの記憶装置に記憶する構成でもかまわない。
【００３０】
その後、出力画像処理部２０２において、ＰＤＬプリント機能と同様に画像処理が施され、画像出力装置１２０より印刷される。
【００３１】
記憶画像出力機能の場合にはＲＡＭ１０７もしくはＨＤＤ１４１などの記憶装置に記憶されている画像データを、ローカルＵＩ１０１上で選択することで、出力画像処理部２０２において、ＰＤＬプリント機能と同様に画像処理が施され、画像出力装置１２０より印刷される。
【００３２】
［ＭＦＰ１００の全体装置構成］
図３は本発明のＭＦＰ１００のハードの全体装置構成を示す装置概観図である。
【００３３】
同図において、３０１はイメージスキャナ部であり、図１で示した画像入力装置１１０に相当し、原稿を読み取り、ディジタル信号処理を行う部分である。また、３０２はプリンタ部であり、図１で示した画像出力装置１２０に相当し、イメージスキャナ３０１によって読み取られた原稿画像に対応した画像を用紙にフルカラーでプリント出力する部分である。
【００３４】
イメージスキャナ３０１において、３００は鏡面圧板であり、原稿台ガラス（以下プラテン）３０３上の原稿３０４は、ランプ３０５で照射され、ミラー３０６、３０７、３０８に導かれ、レンズ３０９によって、３ラインの個体撮像素子センサ（以下ＣＣＤ）３１０上に像を結び、フルカラー情報としてのレッド（Ｒ），グリーン（Ｇ），ブルー（Ｂ）の３つの画像信号が信号処理部３１１に送られる。なお、３０５、３０６は速度ｖで、３０７、３０８は速度１／２ｖでラインセンサの電気的走査（主走査）方向に対して垂直方向に機械的に動くことによって、原稿全面を走査（副走査）する。ここで、原稿３０４は、主走査および副走査ともに６００ｄｐｉ（ｄｏｔｓ／ｉｎｃｈ）の解像度で読み取られる。読み取られた画像信号は原稿１ページ分の単位で信号処理部３１１の内部のデータ蓄積手段に蓄積される。
【００３５】
信号処理部３１１においては、図１で示したマイクロプロセッサ１０３があり、内部に蓄積された画像信号を画素単位で電気的に処理し、４色印刷の場合にはマゼンタ（Ｍ），シアン（Ｃ），イエロ（Ｙ），ブラック（Ｂｋ）の各成分に分解し、４色＋α色印刷の場合には、この場合例えばマゼンタ（Ｍ），シアン（Ｃ），イエロ（Ｙ），ブラック（Ｂｋ）、ライトシアン（ＬＣ）、ライトマゼンタ（ＬＭ）の各成分に分解し、プリンタ部３０２に送る。
【００３６】
送出されたＹ、Ｍ、Ｃ、ＫもしくはＹ、Ｍ、Ｃ、Ｋ、ＬＣ、ＬＭの画像信号がレーザードライバー３１２に送られる。レーザードライバー３１２は、送られてきた画像信号に応じ、半導体レーザー３１３を変調駆動する。レーザー光は、ポリゴンミラー３１４、ｆ−θレンズ３１５、ミラー３１６を介し、感光ドラム３１７上を走査する。ここで、読取と同様に主走査および副走査ともに６００ｄｐｉ（ｄｏｔｓ／ｉｎｃｈ）の解像度で書込まれる。
【００３７】
３１８は回転現像器であり、ライトシアン現像部３１９、ライトマゼンタ現像部３２０、イエロ現像部３２１、マゼンタ現像部３２２、シアン現像部３２３、ブラック現像部３２４より構成され、６つの現像部が交互に感光ドラム３１７に接し、感光ドラム上に形成された静電現像を各色のトナーで現像する。
【００３８】
３２５は転写ドラムであり、用紙カセット３２６または３２７より供給される用紙をこの転写ドラム３２５に巻き付け、感光ドラム上に現像された像を用紙に転写する。
【００３９】
この様にして、Ｙ、Ｍ、Ｃ、ＫもしくはＹ、Ｍ、Ｃ、Ｋ、ＬＣ、ＬＭの４色もしくは６色が順次転写された後に、用紙は、定着ユニット３２８を通過して、トナーが用紙に定着された後に排紙される。
【００４０】
［色数判定処理部２０８の判定］
図４は本発明の色数判定処理部２０８の判定の方法およびローカルＵＩ１０１上に表示される画面の一例を示す図である。
【００４１】
同図において、ＭＦＰ１００に対して、様々なインターフェースを通じて画像データが入力される様子を示している。４０１は、画像入力装置１１０を介して得られるコピーするためにスキャンされた画像データ、４０２は外部クライアントＰＣから送られ得られる画像データ、４０３は外部ＦＡＸ機から送られ得られる画像データ、４０４はＲＡＭ１０７もしくはＨＤＤ１４１などの記憶装置に保存されている画像データ、４０５はＰＣＭＣＩＡ１４５を使用するＰＣカードメモリに保持される画像データ、４０６は画像受信機能により外部クライアントＰＣから送られ得られる画像データ、４０７はネットワークＩ／Ｆ１５０に含まれるＵＳＢインターフェースなどを介して外部画像デバイスなどから転送される画像データである。
【００４２】
これらで得られる画像データ４０１、４０２、４０３、４０４、４０５、４０６、４０７を画像出力装置１２０より出力する際に、各画像データのＭＦＰ１００での出力方法に応じて、ローカルＵＩ１０１上で４色印刷、４色もしくは４色＋α色印刷の自動判定、４色＋α色印刷を設定することができる。ここで指定された設定に応じて、各画像データに対して４色もしくは４色＋α色の印刷を切り替える。自動判定に関しては図５で詳細説明する。
【００４３】
同図のローカルＵＩ１０１の場合だと、“用紙設定”を自動設定で選択しているので、後述する自動判定に従って４色か４色＋α色の印刷を、入力される画像データを出力する際に使用される用紙のサイズ、種別に基づいて自動的に切り替える。仮に“４色”が選択されていた場合には、指定される用紙サイズ、用紙の種別に関係なく４色で印刷される。一方で“４色＋α”が選択されていた場合には、指定される用紙サイズ、用紙の種別に関係なく４色＋α色で印刷される。自動設定の条件を変えたい場合には“調整”キーを押して後述図５の画面を開き、自動設定条件を可変させる。
【００４４】
合成機能は、例えばコピーの入力画像データ４０１とＰＤＬの入力画像データ４０２などの２つの入力画像データを重ね合わせて一つの画像データに合成する機能であり、同図においては“４色”が選択されているので、合成機能を行う際には用紙設定に関わらず４色で印刷する。仮に“４色＋α”を選択した場合には４色＋α色で印刷する。“自動設定”を選択した際には、合成する２つの画像の種別によって自動的に４色か４色＋αかを切り替える。例えば、コピーの入力画像データ４０１同士の合成の場合には４色印刷。コピーの入力画像データ４０１とＰＤＬの入力画像データ４０２の合成の場合には４色＋α色印刷というように設定しておくことで、自動的に切り替える。この設定は“調整”キーを押すことで図示しない別の設定画面において設定する。
【００４５】
製本機能は、例えばＡ４サイズのコピーの入力画像データ４０１とＡ４サイズのＰＤＬの入力画像データ４０２などの２つの入力画像データを並べて結合し、Ａ３サイズのデータとして結合する機能であり、同図においては“自動設定”が選択されているので、製本する２つの画像の種別によって自動的に４色か４色＋αかを切り替える。例えば、コピーの入力画像データ４０１同士の製本の場合には４色印刷。コピーの入力画像データ４０１とＰＤＬの入力画像データ４０２の製本の場合には４色＋α色印刷というように設定しておくことで、自動的に切り替える。この設定は“調整”キーを押すことで図示しない別の設定画面において設定する。仮に“４色”を選択した場合には４色で印刷する。一方で“４色＋α”を選択した場合には４色＋α色で印刷する。
【００４６】
縮小レイアウト機能は、例えばＡ４サイズのコピーの入力画像データ４０１とＡ４サイズのＰＤＬの入力画像データ４０２などの２つの入力画像データをＡ５に縮小して並べてＡ４サイズで印刷する機能であり、同図においては“４色”が選択されているので、縮小レイアウト機能を行う際には用紙設定に関わらず４色で印刷する。仮に“４色＋α”を選択した場合には４色＋α色で印刷する。“自動設定”を選択した際には、縮小レイアウトする２つの画像の種別によって自動的に４色か４色＋αかを切り替える。例えば、コピーの入力画像データ４０１同士の縮小レイアウトの場合には４色印刷。コピーの入力画像データ４０１とＰＤＬの入力画像データ４０２の縮小レイアウトの場合には４色＋α色印刷というように設定しておくことで、自動的に切り替える。この設定は“調整”キーを押すことで図示しない別の設定画面において設定する。また上記では２ｉｎ１の説明をしたが、４つの入力画像を各々縮小して１つの画像データで印刷する４ｉｎ１、同様にＮｉｎ１においても同様に設定する構成も可能である。
【００４７】
拡大縮小機能は、例えばコピーの入力画像データ４０１を４００％拡大印刷したり、２５％縮小印刷したりする機能であり、同図においては“４色＋α”が選択されているので、拡大縮小機能を行う際には用紙設定に関わらず４色＋α色で印刷する。仮に“４色”を選択した場合には４色で印刷する。“自動設定”を選択した際には、拡大縮小する倍率によって自動的に４色か４色＋αかを切り替える。例えば、拡大の場合には４色＋α色印刷。縮小の場合には４色印刷というように設定しておくことで、自動的に切り替える。この設定は“調整”キーを押すことで図示しない別の設定画面において設定する。
【００４８】
［図４の用紙設定時の自動判定の方法］
図５、図６は図４で説明したローカルＵＩ１０１上の自動判定の方法に関して説明する図である。
【００４９】
同図においては、図４で説明した用紙設定を例として説明を行う。
【００５０】
まず図４の用紙設定の“調整”キーを押すと、図５の画面が表示され、ここで設定したい用紙サイズを選択する。ここではＡ３サイズを選択している様子を示している。Ａ３サイズを選択すると、図６の画面が表示され、ここでＡ３サイズの用紙種別毎に４色か４色＋α色の印刷にするのか設定を行う。図６の例においては、再生紙出力は４色、普通紙出力は４色、光沢厚紙出力は４色＋α色、マット圧紙は４色＋α色で印刷する設定を示している。もちろん、図５で示した用紙サイズは扱えるサイズの一例を示しただけで、これより多くのサイズが表示されても良いし、されなくてもかまわない。図６も同様にこれより多くの種別が表示されても良いし、されなくてもかまわない。
【００５１】
上記と同様に他のサイズ、種別毎に設定しておくことで、後は設定条件に従って自動的に４色、４色＋α色の印刷が切り替えられる。
【００５２】
［図５、図６の設定による出力例］
図７は図５、図６で設定した内容に従って出力される印刷色数が可変される様子を示した図である。
【００５３】
同図において、コピー画像データが入ってきた後、ローカルＵＩ１０１の設定に従って、この場合、例えばＡ３サイズの再生紙で出力する場合には４色で印刷。Ａ３サイズの光沢厚紙で出力する場合には４色＋α色で印刷する。ローカルＵＩ１０１の設定に従って、上記が自動的に切り替わる。
【実施例２】
【００５４】
実施例１においては、画像データを出力する際の用紙サイズ、用紙種別、各種レイアウト機能に応じて、４色印刷か、４色＋α色印刷かを切り替える構成およびローカルＵＩ１０１上の設定に関して説明をしたが、ＭＦＰ１００に備わる図示しない環境センサの値に応じて４色印刷か、４色＋α色印刷かを切り替える構成としても良い。
【実施例３】
【００５５】
実施例１、２においては、ローカルＵＩ１０１上において設定する構成を説明したが、ＭＦＰ１００本体に備わるローカルＵＩ１０１以外から、実施例１、２で説明した設定と同様な設定を行える外部ＵＩを持つ構成を説明する。
【００５６】
ネットワークＩ／Ｆ１５０を使用したＵＳＢ、ＩＥＥＥ１３９４、有線ＬＡＮ１５１、無線ＬＡＮ１５２、赤外線通信１５３、モデム１５４を使用した公衆回線、短距離通信１５５を使用したＢｌｕｅｔｏｏｔｈなどで接続されるクライントＰＣや携帯端末などを使用して操作を行うことができる。
【図面の簡単な説明】
【００５７】
【図１】本発明のＭＦＰ１００のシステム構成を示すブロック図である。
【図２】本発明のマイクロプロセッサ１０３内において施される画像処理フローを説明するブロック図である。
【図３】本発明のＭＦＰ１００のハードの全体装置構成を示す装置概観図である。
【図４】本発明の色数判定処理部２０８の判定の方法およびローカルＵＩ１０１上に表示される画面の一例を示す図である。
【図５】図４で説明したローカルＵＩ１０１上の自動判定の方法に関して説明する図である。
【図６】図４で説明したローカルＵＩ１０１上の自動判定の方法に関して説明する図である。
【図７】図５、図６で設定した内容に従って出力される印刷色数が可変される様子を示した図である。
【符号の説明】
【００５８】
１００  ＭＦＰ
１０１  ローカルＵＩ
１０２  インターフェースマネージャ
１０３  マイクロプロセッサ
１０４  キーボード
１０５  マウス
１０６  フラッシュ・メモリ
１０７  ＲＡＭ
１１０画像入力装置
１２０画像出力装置
１３０  ディスプレ
１４０  ディスク・インターフェース装置
１４１  ＨＤＤ
１４２  ＦＤＤ
１４３  ＣＤ−ＲＯＭドライブ
１４４  キャッシュ
１４５  ＰＣＭＣＩＡ
１５０  ネットワークインターフェース
１５１  有線ＬＡＮ
１５２  無線ＬＡＮ
１５３  赤外線通信
１５４  モデム
１５５  短距離通信
２０１  入力画像処理部
２０２  出力画像処理部
２０３  レンダリング部
２０４  画像送信処理部
２０５  画像受信処理部
２０６  ＦＡＸ送信処理部
２０７  ＦＡＸ受信処理部
【図１】
2007025112.tif 000003
【図２】
2007025112.tif 000004
【図３】
2007025112.tif 000005
【図４】
2007025112.tif 000006
【図５】
2007025112.tif 000007
【図６】
2007025112.tif 000008
【図７】
2007025112.tif 000009